(57)【特許請求の範囲】
【請求項１】
シールドトンネルをシールするため、該シールドトンネル内壁に敷設されるシールドパネルであって、該シールドパネルは、
前記シールドトンネル内壁に向けて突出する互いに交差する複数の板状物から形成された支持部が設けられ、前記複数の板状物が互いに交差する箇所に該支持部の突出する方向へ延びる複数の穴が設けられ、４つの角部が断ち落とされた略矩形の平坦パネルと、
前記シールドトンネル内壁に隣接する４つの角部が断ち落とされた外縁部と、前記シールドトンネル内壁に向けて突出する互いに交差する複数の板状物から形成された平坦部支持部が設けられ、前記複数の板状物が互いに交差する箇所に該平坦部支持部の突出する方向へ延びる複数の穴が設けられた平坦部と、前記外縁部と前記平坦部との間に設けられ、前記外縁部と前記平坦部とに連続するとともに前記平坦パネルの前記シールドトンネル内側に向いた面を前記平坦部の該シールドトンネル内側に向いた面と略面一に収容するための段差部とが設けられた段付パネルと、
前記平坦パネルと前記段付パネルとの重合部に配置されるシール部材とを備え、
前記シールドトンネル内壁に設けられた複数の連結手段を、前記平坦パネルおよび前記段付パネルの前記複数の穴に通すことにより該シールドトンネル内壁に配設される、シールドパネル。
【請求項２】
前記シール部材は、前記平坦パネルの前記段付パネルとの重合部、または前記段付パネルの前記平坦パネルとの重合部、または前記平坦パネルの前記段付パネルとの重合部と、前記段付パネルの前記平坦パネルとの重合部とに配置される、請求項１に記載のシール
ドパネル。
【請求項３】
前記平坦パネルの支持部と、前記段付パネルの平坦部支持部とは、前記シールドトンネル内壁に隣接して前記各パネルを支持する、請求項１または２に記載のシールドパネル。
【請求項４】
前記シールドパネルは、さらに、地下水の水圧から該シールドパネルを保護するための連通手段が設けられる、請求項１〜３のいずれか１項に記載のシールドパネル。
【請求項５】
前記連通手段は、地下水を前記シールドトンネル内に放出するための開口または逆止弁である、請求項４に記載のシールドパネル。
【請求項６】
シールドトンネル内壁にシールドパネルを敷設して形成されるシール構造であって、該シールドパネルは、
前記シールドトンネル内壁に向けて突出する互いに交差する複数の板状物から形成された支持部が設けられ、前記複数の板状物が互いに交差する箇所に該支持部の突出する方向へ延びる複数の穴が設けられ、４つの角部が断ち落とされた略矩形の平坦パネルと、
前記シールドトンネル内壁に隣接する４つの角部が断ち落とされた外縁部と、前記シールドトンネル内壁に向けて突出する互いに交差する複数の板状物から形成された平坦部支持部が設けられ、前記複数の板状物が互いに交差する箇所に該平坦部支持部の突出する方向へ延びる複数の穴が設けられた平坦部と、前記外縁部と前記平坦部との間に設けられ、前記外縁部と前記平坦部とに連続するとともに前記平坦パネルの前記シールドトンネル内側に向いた面を前記平坦部の該シールドトンネル内側に向いた面と略面一に収容するための段差部とが設けられた段付パネルと、
前記平坦パネルと前記段付パネルとの重合部に配置されるシール部材とを備え、
前記シールドトンネル内壁に設けられた複数の連結手段を、前記平坦パネルおよび前記段付パネルの前記複数の穴に通すことにより該シールドトンネル内壁に配設される、シール構造。
【請求項７】
前記シール部材は、前記平坦パネルの前記段付パネルとの重合部、または前記段付パネルの前記平坦パネルとの重合部、または前記平坦パネルの前記段付パネルとの重合部と、前記段付パネルの前記平坦パネルとの重合部とに配置される、請求項６に記載のシール
構造。
【請求項８】
前記平坦パネルの支持部と、前記段付パネルの平坦部支持部とは、前記シールドトンネル内壁に隣接して前記各パネルを支持する、請求項６または７に記載のシール構造。
【請求項９】
前記シールドパネルは、さらに、地下水の水圧から該シールドパネルを保護するための連通手段が設けられる、請求項６〜８のいずれか１項に記載のシール構造。
【請求項１０】
前記連通手段は、地下水を前記シールドトンネル内に放出するための開口または逆止弁である、請求項９に記載のシール構造。
【発明の詳細な説明】
【０００１】
【発明の属する技術分野】
本発明は、シールドパネルおよび該シールドパネルを用いるシール構造に関し、より詳細には、磁気シールド、防音、断熱あるいは止水に使用するシールドパネルおよび該シールドパネルを用いるシール構造に関する。
【０００２】
【従来の技術】
これまで、電磁波を扱う機器などが設置された室内においては磁気シールド材、音響設備を有するスタジオやカラオケボックスにおいては防音材、住宅や冷凍設備などにおいては断熱材、トンネル内においては腐食を防止するためにライニング材といった各種シールド材が、必要に応じて材質、シール性、作業性といった点から提案されている。
【０００３】
従来、防音材としては、吸音性の防音タイルや多孔質の防音板などが用いられ、断熱材としては、熱伝導の小さいガラス綿、ケイソウ土、スラグウールなどが用いられている。これら防音板、防音タイル、断熱材においては、壁板と壁板の間に充填されたり、壁板に直接取り付けられたりして用いられている。また、下水道シールドトンネルなどには、内部を流れる汚水から発生する硫化水素といった強酸によってセグメントが劣化するのを防ぐために二次覆工としてライニングが行われている。このトンネル内のライニングは、ガラスやホウロウなどの無機物、あるいはゴムやプラスチックなどの有機物で内張りされることで行われている。
【０００４】
磁気シールドにおいては、例えば特開平６−２２４５８２号公報において、支持脚同士を互いに連結する根がらみと、支持脚の上部に設けられた台座部とを有し、隣接する磁気シールドパネルの磁気シールド板同士が密着するように、各磁気シールドパネルの周縁部を台座部および根がらみ上に載せて構成した磁気シールド床が開示されている。
【０００５】
特開平６−２２４５８２号公報に開示されているシールド手段は、磁気シールド材同士の隙間に支持脚上の台座部あるいは根がらみに配置して磁気がシールド材の隙間から直接漏洩しないようにしている。
【０００６】
しかし、上記特開平６−２２４５８２号公報に開示されている手段では、台座部と根がらみの隙間を通して漏洩した磁気が、磁気シールド同士の隙間を通して漏洩するという問題があった。また、支持脚に根がらみをボルトなどを用いて設置し、その上に磁気シールド板、さらにその上に磁気シールドパネルを設置するといったようにシールド材を重ねて設置する必要があるために労力を要するといった問題もあった。
【０００７】
また、上述した防音材、断熱材、ライニング材を用いることで充分に音、熱、腐食などを抑制することができるが、上述した磁気シールドのように隙間を生じたり、シールド性を向上させるために各種シールド材を重ねて設置するというように手間がかかるといった問題があった。さらに、既設の下水道にライニング施工する場合においては、一度腐食したトンネルをライニングするのは困難であり、また地下水がセグメントに浸水する場合においては、トンネル内にしたライニングが地下水による水圧で破損するといった問題もあった。
【０００８】
【発明が解決しようとする課題】
したがって、シールド材の覆工が容易であり、かつ連結した隙間から漏洩しないシールド材が必要とされている。また、特に建設・土木分野においては、トンネル内にライニング施工する際に、労力を低減することができ、低コストで、かつ地下水などの水圧によって破損することのないシールドトンネルを構築することを可能とする、シールド材やシール構造が必要とされていた。
【０００９】
【課題を解決するための手段】
上記課題は、本発明のシールドパネルおよび該シールドパネルを用いるシール構造を提供することによって解決される。
【００１０】
本発明の請求項１の発明によれば、構造体をシールするため、該構造体内壁に敷設されるシールドパネルであって、該シールドパネルは、
前記構造体に向けて突出する支持部が設けられた略矩形の平坦パネルと、
前記構造体に隣接する外縁部と、平坦部と、前記外縁部と前記平坦部との間に設けられ、前記外縁部と前記平坦部とに連続するとともに前記平坦パネルの前記構造体内側に向いた面を前記平坦部の該構造体内側に向いた面と略面一に収容するための段差部とが設けられた段付パネルと、
前記平坦パネルと前記段付パネルとの重合部に配置されるシール部材とを備えるシールドパネルが提供される。
【００１１】
本発明の請求項２の発明によれば、前記シール部材は、前記平坦パネルの前記段付パネルとの重合部、または前記段付パネルの前記平坦パネルとの重合部、または前記平坦パネルの前記段付パネルとの重合部と、前記段付パネルの前記平坦パネルとの重合部とに配置されるシールドパネルが提供される。
【００１２】
本発明の請求項３の発明によれば、前記段付パネルの前記平坦部の前記構造体に向いた側には、平坦部支持部が設けられており、
前記平坦パネルの支持部と、前記段付パネルの平坦部支持部とは、前記構造体に隣接して前記各パネルを支持するシールドパネルが提供される。
【００１３】
本発明の請求項４の発明によれば、前記構造体は、構造物の床、壁、天井、またはシールドトンネルから選択されるシールドパネルが提供される。
【００１４】
本発明の請求項５の発明によれば、前記構造体は、シールドトンネルであり、該シールドトンネルの止水に使用するため、該シールドトンネル内壁に敷設されるシールドパネルであって、該シールドパネルは、
さらに、地下水の水圧から前記シールドパネルを保護するための連通手段が設けられたシールドパネルが提供される。
【００１５】
本発明の請求項６の発明によれば、前記連通手段は、地下水を前記シールドトンネル内に放出するための開口または逆止弁であるシールドパネルが提供される。
【００１６】
本発明の請求項７の発明によれば、構造体内壁にシールドパネルを敷設して形成されるシール構造であって、該シールドパネルは、
前記構造体に向けて突出する支持部が設けられた略矩形の平坦パネルと、
前記構造体に隣接する外縁部と、平坦部と、前記外縁部と前記平坦部との間に設けられ、前記外縁部と前記平坦部とに連続するとともに前記平坦パネルの前記構造体内側に向いた面を前記平坦部の該構造体内側に向いた面と略面一に収容するための段差部とが設けられた段付パネルと、
前記平坦パネルと前記段付パネルとの重合部に配置されるシール部材とを備えるシール構造が提供される。
【００１７】
本発明の請求項８の発明によれば、前記シール部材は、前記平坦パネルの前記段付パネルとの重合部、または前記段付パネルの前記平坦パネルとの重合部、または前記平坦パネルの前記段付パネルとの重合部と、前記段付パネルの前記平坦パネルとの重合部とに配置されるシール構造が提供される。
【００１８】
本発明の請求項９の発明によれば、前記段付パネルの前記平坦部の前記構造体に向いた側には、平坦部支持部が設けられており、
前記平坦パネルの支持部と、前記段付パネルの平坦部支持部とは、前記構造体に隣接して前記各パネルを支持するシール構造が提供される。
【００１９】
本発明の請求項１０の発明によれば、前記構造体は、構造物の床、壁、天井、またはシールドトンネルから選択されるシール構造が提供される。
【００２０】
本発明の請求項１１の発明によれば、前記構造体は、シールドトンネルであり、該シールドトンネルの止水に使用するため、該シールドトンネル内壁に敷設されるシールドパネルであって、該シールドパネルは、
さらに、地下水の水圧から前記シールドパネルを保護するための連通手段が設けられたシール構造が提供される。
【００２１】
本発明の請求項１２の発明によれば、前記連通手段は、地下水を前記シールドトンネル内に放出するための開口または逆止弁であるシール構造が提供される。
【００２２】
【発明の実施の形態】
本発明のシールドパネルは、構造物の磁気シールド材、スタジオやカラオケボックスの床、壁、天井に設置する防音材、家屋などの断熱材として、また、トンネル内のライニング施工などに用いることができる。また、本発明のシールドパネルを用いるシール構造は、構造物の床、壁、天井に本発明のシールドパネルを敷設し、磁気シールド床、磁気シールド壁、磁気シールド天井、防音壁、防音床、防音天井、断熱壁、またはシール構造を備えるシールドトンネルなどとすることができる。本発明のシールドパネルおよび該シールドパネルを用いるシール構造は、上述したものに用いることができるが、以下、シールドトンネルのライニング施工に用いる止水用のシールドパネルおよびシール構造として図面を参照して本発明を実施の形態をもって詳細に説明する。
【００２３】
図１は、本発明のシールドパネルの平坦パネル１を示した図である。図１に示す平坦パネル１は、略矩形のパネルとされていて、角部が断ち落とされた形状となっている。また、平坦パネル１は、支持部２を備えている。本発明においては、以下に示す段付パネルと接合してシール構造とする場合、接合部分において隙間がなく、充分なシール性を備えるようにするためには、角部が等角度で断ち落とされた略矩形のパネルとするのが好ましい。
【００２４】
図１（ａ）は、平坦パネル１のシールドトンネルの壁に向いた側の面を示した図である。以下、シールドトンネルの壁に向いた側の面を外側面Ｙとする。図１（ａ）に示す実施の形態においては、平坦パネル１の外側面Ｙには、支持部２が互いに交差するように備えられていて、図示しないシールドトンネルの壁面に隣接して支持されるようにされている。また、図１（ａ）に示す平坦パネル１の両端の支持部２が互いに交差する箇所には、複数の穴３が設けられている。
【００２５】
図１（ａ）においては、図示しないシールドトンネルの壁面にアンカーボルトといった連結手段が設けられ、図１（ａ）に示す穴３にアンカーボルトといった連結手段を通してナットにより連結することができるようになっている。また、図１（ａ）に示す外側面Ｙには、外側面Ｙの周囲にわたって支持部２により外縁部４が形成され、この外縁部４には、以下に示す段付パネルの重合部と組合わせることができる重合部５を備えている。さらに、重合部５には、シール部材６が配置されていて、以下に示す段付パネルと接合することができ、接合した場合に以下に示す内側面が略面一になるようにされている。本発明においては、アンカーボルト以外にシールドトンネルの壁面と連結できるのであれば、これまでに知られたいかなる手段を用いても良い。また、本発明に用いるシール部材６としては、ガスケットやパッキンなどを挙げることができるが、以下に示す段付パネルと平坦パネル１とを接合できるのであればいかなるものでも用いることができる。
【００２６】
図１（ｂ）は、平坦パネル１のシールドトンネル内側に向いた面を示した図である。以下、シールドトンネル内側に向いた面を内側面Ｘとする。図１（ｂ）に示す内側面Ｘには、図１（ａ）に示す外側面Ｙから貫通する穴３が示されている。また、内側面Ｘは、覆工上または使用上においての安全性や、シールドトンネルを下水道などとして用いる場合などには、トンネル内での下水の流れに抵抗が少なくなるように平坦な面とされている。図１（ｂ）に示す実施の形態では、アンカーボルトなどの連結手段を穴３に通し、ナットを用いて連結すると、ナットが内側面Ｘに残ってしまうが、本発明においては、予めナットが収納されるように穴３まわりにナット収納用の溝を設けておいても良い。また、本発明のシールドパネルの平坦パネル１としては、耐腐食性といった点からエポキシ樹脂、樹脂モルタル、ポリエステル樹脂、ポリスチレン樹脂、ポリアミド樹脂、ポリオレフィン樹脂、不飽和ポリエステル樹脂、ユリア樹脂、フェノール樹脂、メラミン樹脂といった合成樹脂製のものやセラミックスのものなどを用いることができる。
【００２７】
図２は、本発明のシールドパネルの平坦パネルを図１（ａ）に示す切断線Ａ−Ａに沿って切断した断面図である。図２に示すように支持部２により外縁部４が両端に形成され、外縁部４は、以下に示す段付パネルの重合部と組合わせることができる重合部５を備えている。また、重合部５には、外側面Ｙの周囲にわたってシール部材６が配置されていて段付パネルの重合部と接合できるようになっている。さらに、外側面Ｙには、図１（ａ）に示すように図示しないシールドトンネルの壁に隣接して支持するための支持部２が複数設けられている。また、図１（ｂ）に示すように内側面Ｘは、平坦な面とされている。本発明においては、図示しないシールドトンネルの壁に支持できるのであればいかなる本数の支持部２で支持されていても良い。また、支持部２は、図示しないシールドトンネルの壁から内側面Ｘの支持高さを同一とすることができれば、いかなる形状であっても良く、例えば支持部２として長方形の板を平坦パネル１の外側面Ｙに接合したものとされていても良い。
【００２８】
図３は、本発明のシールドパネルの段付パネル７を示した図である。図３に示す段付パネル７も上述した平坦パネル１と同様、角部が断ち落とされた略矩形のパネルとされ、平坦パネル１の外側面Ｙと段付パネル７の内側面Ｘが同じ大きさとされている。図３（ａ）は、段付パネル７の外側面Ｙを示した図である。図３（ａ）に示す実施の形態においては、外側面Ｙは、平坦部支持部８が互いに交差するように形成されていて、段付パネル７の両端の平坦部支持部８が互いに交差する箇所には、複数の穴９が設けられている。また、図示しないシールドトンネルの壁には、アンカーボルトといった連結手段が設けられており、アンカーボルトを穴９に通してナットにより連結することができるようになっている。本発明においては、アンカーボルト以外にシールドトンネルの壁面と連結できるのであればいかなる手段を用いても良い。
【００２９】
図３（ｂ）は、段付パネル７の内側面Ｘを示した図である。図３（ｂ）に示す内側面Ｘには、平坦部１０に連続する段差部１１が設けられ、この段差部１１には、図示しないシールドトンネルの壁に隣接する外縁部１２が設けられている。また、外縁部１２と平坦パネル１の外縁部４および外縁部１２に連続する段差部１１と平坦パネル１の外縁部４は、互いに隙間なく組合わせて接合できるように平坦パネル１に設けられた外縁部４と同じ幅とされている。さらに、図３（ａ）に示すように重合部１３には、周囲にわたってシール部材１４が配置されている。また、図３（ｂ）に示す平坦部１０は、覆工上または使用上での安全性や、シールドトンネルを下水道として用いる場合に、トンネル内での下水の流れに抵抗が少なくなるように平坦な面とされている。
【００３０】
図３（ａ）に示す複数の穴９は、図３（ｂ）に示す内側面Ｘまで貫通していて、図示しないシールドトンネルの壁に設けられたアンカーボルトといった連結手段を通すことができるようになっている。また、ナットを用いて連結すると、トンネル内側面にナットが残ってしまうが、本発明においては、予めナットが収納されるように穴９のまわりにナット収納用の溝を設けておいても良い。本発明のシールドパネルの段付パネル７としては、平坦パネル１と同様に、エポキシ樹脂、樹脂モルタル、ポリエステル樹脂、ポリスチレン樹脂、ポリアミド樹脂、ポリオレフィン樹脂、不飽和ポリエステル樹脂、ユリア樹脂、フェノール樹脂、メラミン樹脂、ウレタン樹脂といったプラスチック製のものやセラミック製のものなどを用いることができる。
【００３１】
また、上述した平坦パネル１の角部が等角度で断ち落とされていない場合には、段付パネル７の内側面Ｘと、平坦パネル１の外側面Ｙとを同じ大きさとし、かつ同じ形状とすることにより隙間なく組合わせて接合することができる。さらに、本発明に用いるシール部材１４としては、ガスケットやパッキンなどを挙げることができる。しなしながら、段付パネルと平坦パネル１とを接合できるのであればいかなるものでも用いることができる。さらに、本発明においては、シール部材６、１４を平坦パネル１および段付パネル７の両方に配置しなくても、いずれか一方に配置しても良い。
【００３２】
図４は、本発明のシールドパネルの段付パネル７を図３（ａ）に示す切断線Ｂ−Ｂに沿って切断した断面図である。図４に示すように平坦部１０に連続して段差部１１が設けられ、さらに段差部１１に連続して外縁部１２が両端に設けられている。図４に示す外縁部１２は、平坦部支持部８とともに図示しないシールドトンネルの壁に支持するようにされ、平坦部１０の外側面Ｙには、平坦部１０を支持するために複数の平坦部支持部８が設けられている。本発明においては、外縁部１２によって支持することができるのであれば、平坦部支持部８を設けなくても良い。また、平坦部支持部８は、図示しないシールドトンネルの壁から内側面Ｘの支持高さを同一とすることができれば、いかなる形状であっても良く、例えば図４のように平坦部支持部８と外縁部１２とを別にするのではなく、同じ板で略矩形のパネルに成形し、その上に長方形の平坦部９を接合したものとしていても良い。
【００３３】
図４に示す外縁部１２には、上述した平坦パネル１の重合部５と組合わせることができるように重合部１３が備えられている。また、重合部１３には、内側面Ｘの周囲にわたってシール部材１４が配置されていて互いの重合部５、１３を接合できるようになっている。さらに、上述した平坦パネル１と接合した場合、接合して形成される内側面Ｘが略面一になるようにされている。
【００３４】
図５は、シールドトンネルを構築するためのセグメントに本発明のシールドパネルを設置する工程を示した図である。図５（ａ）は、段付パネル７がセグメント１５にすでに連結され、これから平坦パネル１を接合しようとしている図である。図５（ａ）に示す実施の形態においては、セグメント１５によりセグメントリングが形成されており、セグメント１５間の接合部を橋渡すように段付パネル７の外縁部１２が配設されている。また、段付パネル７は、アンカーボルトといった連結手段によってセグメント１５に連結されている。図５に示すセグメントリングを形成する手段としては、ボルトおよびナットといった連結手段を用いてセグメント１５同士を連結することができるが、それ以外にもスライドロックジョイントなどのいかなる手段を用いて連結されていても良い。
【００３５】
図５（ｂ）は、段付パネル７がセグメント１５に連結され、また平坦パネル１も連結してシールドトンネルの内側面Ｘが面一とされたところを示した図である。図５（ｂ）に示す実施の形態においては、段付パネル７の重合部１３と、平坦パネル１の重合部５とが組合わされ、さらに互いの重合部５、１３に配置したシール部材６、１４によって接合されている。このように接合することで、従来接合部から漏洩していたシールドトンネル内部の水やシールドトンネル外部の地下水などを止水することができる。また、平坦パネル１は、平坦パネル１に設けられた穴３にセグメント１５からのアンカーボルトといった連結手段を通し、ナットで締結してセグメント１５に連結することができるようになっている。
【００３６】
図６は、本発明のシールドパネルをシールドトンネルに配設してシール構造を形成する工程を示した図である。図６に示す実施の形態においては、セグメント１５は、本発明のシールドパネルを連結するためのアンカーボルトといった連結手段が適切な位置に、適切な数配設されている。このため、本発明のシールドパネルに設けけられた穴３、９にアンカーボルトを通してナットを用いて容易に連結することができるようになっている。
【００３７】
図６（ａ）は、段付パネル７を２段に配設した図である。トンネル内の適当な位置に図６（ａ）に示すように、段付パネル７を２段に配設する。まず、１つの段付パネル７を配設し、その段付パネル７の断ち落とされた角部と別の段付パネル７の角部とを合わせるようにして別の段付パネル７を２段目に配設する。また、２段目に配設した段付パネル７の角部とを合わせるようにして、１段目にさらに別の段付パネル７を配設する。これを繰り返して左右方向に段付パネル７を配設することで、図６（ａ）に示すように２段に段付パネル７を配設することができる。図６（ａ）に示す実施の形態では、すでに所定の位置にアンカーボルトが配設されているため、段付パネル７の各穴９にアンカーボルトを通すことで配設できるようになっている。
【００３８】
次の工程では、図６（ｂ）に示すように、平坦パネル１を配設できるように開けられた１段目の段付パネル７間に平坦パネル１を配設する。図６（ａ）のようにして段付パネル７を配設すると、段付パネル７間に平坦パネル１が収容して配設できるようになっている。また、平坦パネル１と段付パネル７とに配置されたシール部材６、１４によって接合させることで、平坦パネル１と段付パネル７との接合部からの漏洩をなくすことができる。
【００３９】
また次の工程では、図６（ｃ）に示すように、３段目に段付パネル７が配設される。上述したように、２段目に配設された段付パネル７の角部と、３段目に配設する段付パネル７の角部とを合わせることにより３段目に段付パネル７を配設していくことができる。
【００４０】
さらに次の工程では、図６（ｄ）に示すように、２段目に平坦パネル１を収容するように配設する。以上のように、段付パネル７を先に配設し、その後に平坦パネル１を収容するように配設するという工程を繰り返すことにより、シールドトンネル内にシールドパネルを配設してシール構造を形成することができる。本発明のシール構造を形成する工程においては、上述した工程以外に、適切に平坦パネル１、段付パネル７を配設してシール構造を形成することができるのであれば、いかなる工程でシール構造を形成しても良い。
【００４１】
図７は、本発明のシールドパネルを配設してシール構造を形成したシールドトンネル１６を示した図である。図７に示したシールドトンネル１６は、まずセグメント１５が掘削抗の内側において周方向へと連結されてセグメントリング１７が構築され、このセグメントリング１７に対してトンネル軸方向へと図示しないシールドジャッキなどの手段を用いて、別のセグメントが連結されて、トンネル軸方向に連続した別のセグメントリングが延ばされることで構築されている。
【００４２】
図７に示すセグメント同士を連結するための手段としては、ボルトおよびナットを用いて行うことができるが、スライドロックジョイントなどいかなる手段によって連結されていても良い。また、構築されたセグメントリング１７の内面には、透水層１８、さらに内面に本発明のシールドパネル１９が配設されている。本発明のシールドパネル１９の配設については、上述した工程により配設することができ、これらを配設する手段としては、アンカーボルトといった連結手段を用いることができる。また、本発明においては、セグメント１５に直接本発明のシールドパネル１９を配設しても良いが、透水層１８を設けてトンネルの周方向やトンネル軸方向に水が流れるようにして、セグメント１５にかかる水圧を減少させるほうが好ましい。また、本発明のシールドパネル１９を設置したセグメント１５を用いれば、ライニング工事を省略することができ、シールドトンネル１６を構築する工期を短縮することができる。
【００４３】
図８は、図７に示したシールドトンネル１６のセグメント１５に本発明のシールドパネル１９を配設するところを詳細に示した図である。図８に示す実施の形態においては、セグメント１５には、透水層１８が設けられ、透水層１８の内側面に本発明のシールドパネル１９が配設されている。本発明に用いることができる透水層１８としては、多孔である砂層や砂礫層、不織布などが挙げられるが、透水性のあるものであればこの他いかなるものでも用いることができる。
【００４４】
図８において透水層１８および本発明のシールドパネル１９は、セグメント１３に備えたアンカーボルト２０によって配設できるようになっている。透水層１８および本発明のシールドパネル１９には、適切な位置にアンカーボルト２０を通すための穴２１が開けられている。また、本発明のシールドパネル１９には、シールドトンネル外部に浸透した地下水の水圧により配設したシールドパネル１９が破損しないように、シールドトンネル１６外部の地下水をシールドトンネル１６内部へ放出するための連通手段が設けられている。図８に示す実施の形態では、連通手段として逆止弁２２が設けられていて、シールドトンネル１６外部からの水圧により逆止弁２２が開いて、シールドトンネル１６内部へ地下水を放出することができるようになっている。本発明のシールドパネル１９に用いる連通手段は、上述した逆止弁２２以外に、開口とし、地下水を常にシールドトンネル１６内に放出するようにしていても良いし、開口に逆止弁を連結して所定の水圧がかかるとシールドトンネル１６内に放出するようにされていても良い。
【００４５】
以上、本発明のシールドパネルおよび該シールドパネルを用いるシール構造をシールドトンネルのシールドパネルおよび該シールドパネルを用いるシール構造に限って説明してきたが、本発明においては、上述したように磁気シールド材、防音材、断熱材といったものとして用いることができ、使用に応じて材質、個数、パネルサイズなどを変更することができる。
【００４６】
磁気シールド用パネルまたは磁気シールド構造として用いる場合には、上記シールドパネルを磁性体材料を用いて作製することができる。磁性体材料としては、純鉄、鉄ニッケル合金、ステンレス鋼、アルミニウム、チタン、銅、銀、金などを挙げることができる。また、上記金属にてメッキされたものであっても良い。防音用あるいは断熱用のパネルとしては、鉛シート、ガラス、コルク、セラミック、セルロース、上述したエポキシ樹脂、樹脂モルタル、ポリエステル樹脂、ポリスチレン樹脂、ポリアミド樹脂、ポリオレフィン樹脂、不飽和ポリエステル樹脂、ユリア樹脂、フェノール樹脂、メラミン樹脂、ウレタン樹脂などといったプラスチック製の材料を用いることができ、さらに、上記プラスチック製あるいはセラミック製などの板にロックウール、グラスウールなどを挟みこんだものを用いて本発明のシールドパネルを作製しても良い。
【００４７】
また、本発明のシールドパネルを、磁気シールド壁、磁気シールド床、磁気シールド天井、防音壁、防音床、防音天井、断熱壁、断熱床、断熱天井として配設する場合には、連結手段として釘や接着剤を用いて連結することができ、平坦パネル１の支持部２、段付パネル７の平坦部支持部８の空間とされた部分に上述した磁気シール材、防音材、断熱材を設置してシール性を向上させることもできる。
【００４８】
【発明の効果】
したがって、本発明のシールドパネル、該シールドパネルを用いるシール構造を提供することにより、覆工が容易であり、かつ連結した隙間から磁気、音、熱、水といった液体が漏洩しないシールド材を提供することができる。また、特に下水道といった内部に水が流れるようなトンネルにおいては、シールド材を施工する労力を低減させることができ、低コストで、かつ地下水などの水圧によって破損することのないシールドパネル、該シールドパネルを用いるシール構造を提供することができる。
【図面の簡単な説明】
【図１】  本発明のシールドパネルの平坦パネルを示した図。
【図２】  本発明のシールドパネルの平坦パネルの切断線Ａ−Ａに沿って切断した断面図を示した図。
【図３】  本発明のシールドパネルの段付パネルを示した図。
【図４】  本発明のシールドパネルの段付パネルの切断線Ｂ−Ｂに沿って切断した断面図を示した図。
【図５】  シールドトンネルを構築するためのセグメントに本発明のシールドパネルを設置する工程を示した図。
【図６】  本発明のシールドパネルをシールドトンネルに配設してシール構造を形成する工程を示した図。
【図７】  本発明のシールドパネルを配設してシール構造を形成したシールドトンネルを示した図。
【図８】  シールドトンネルのセグメントに本発明のシールドパネルを配設するところを詳細に示した図。
【符号の説明】
１…平坦パネル
２…支持部
３…穴
４…外縁部
５…重合部
６…シール部材
７…段付パネル
８…平坦部支持部
９…穴
１０…平坦部
１１…段差部
１２…外縁部
１３…重合部
１４…シール部材
１５…セグメント
１６…シールドトンネル
１７…セグメントリング
１８…透水層
１９…シールドパネル
２０…アンカーボルト
２１…穴
２２…逆止弁
Ｘ…内側面
Ｙ…外側面
【図１】
0004915712.tif 000002
【図２】
0004915712.tif 000003
【図３】
0004915712.tif 000004
【図４】
0004915712.tif 000005
【図５】
0004915712.tif 000006
【図６】
0004915712.tif 000007
【図７】
0004915712.tif 000008
【図８】
0004915712.tif 000009